(57)【特許請求の範囲】
【請求項１】
入力信号を中間信号に変換した後、該中間信号を出力信号に変換する中継放送局装置において、
共通基準信号又は第１の局部基準信号に基づいた所定周波数の信号を発振するための第１の発振手段と、
前記入力信号を、前記第１の発振手段からの発振信号に基づいて、前記中間信号に変換するための第１の信号変換手段と、
前記共通基準信号に基づいた所定周波数の信号を発振するための第２の発振手段と、
前記中間信号を、前記第１の発振手段からの発振信号又は前記第２の発振手段からの発振信号に基づいて、前記出力信号に変換するための第２の信号変換手段と、
前記共通基準信号又は前記第１の局部基準信号が前記第１の発振手段に入力されるようにする第１の切り替え手段と、
前記第１の発振手段からの発振信号又は前記第２の発振手段からの発振信号が前記第２の信号変換手段に入力されるようにする第２の切り替え手段と、を備え、
前記第１の切り替え手段が、前記共通基準信号が前記第１の発振手段に入力されるようにすると共に、前記第２の切り替え手段が、前記第２の発振手段からの発振信号が前記第２の信号変換手段に入力されるようにし、
又は、前記第１の切り替え手段が、前記第１の局部基準信号が前記第１の発振手段に入力されるようにすると共に、前記第２の切り替え手段が、前記第１の発振手段からの発振信号が前記第２の信号変換手段に入力されるようにすること、
を特徴とする中継放送局装置。
【請求項２】
前記第１の発振手段、前記第１の信号変換手段、前記第１の局部基準信号を生成する手段、及び、前記第１の切り替え手段を有する受信変換ユニットと、
前記第２の発振手段、前記第２の信号変換手段、及び、前記第２の切り替え手段を有する送信変換ユニットと、
を備えることを特徴とする請求項１に記載の中継放送局装置。
【請求項３】
前記受信変換ユニットは、前記共通基準信号を入力するための第１の入力端子と、前記第１の発振手段からの発振信号を出力可能な第１の出力端子とを有し、
前記送信変換ユニットは、前記共通基準信号を入力するための第２の入力端子と、前記第１の出力端子からの信号を入力可能な第２の出力端子とを有し、
前記受信変換ユニットにおける前記第１の発振手段からの発振信号を、前記第１の出力端子と前記送信変換ユニットにおける前記第２の出力端子とを介して、前記第２の信号変換手段に入力可能としたこと、
を特徴とする請求項２に記載の中継放送局装置。
【請求項４】
前記受信変換ユニットは、
前記共通基準信号を入力すると共に前記第１の発振手段からの信号を出力可能な第１の入出力端子と、
前記第１の入出力端子に前記共通基準信号が入力された場合には当該共通基準信号を前記第１の切り替え手段を介して前記第１の発振手段に入力させ、前記第１の発振手段からの発振信号が入力された場合には当該発振信号を前記第１の入出力端子に出力する第１の分波手段と、を有し、
前記送信変換ユニットは、
前記共通基準信号及び前記第１の入出力端子から出力される信号を入力可能な第２の入出力端子と、
前記第２の入出力端子に前記共通基準信号が入力された場合には当該共通基準信号を前記第２の発振手段に入力させ、前記第２の入出力端子に前記第１の入出力端子を介して前記第１の発振手段からの発振信号が入力された場合には当該発振信号を前記第２の信号変換手段に入力する第２の分波手段と、を有すること、
を特徴とする請求項２に記載の中継放送局装置。
【請求項５】
入力信号を中間信号に変換した後、該中間信号を出力信号に変換する中継放送局装置において、
共通基準信号に基づいた所定周波数の信号を発振するための第１の発振手段と、
前記入力信号を、前記第１の発振手段からの発振信号又は第２の発振手段からの発振信号に基づいて、前記中間信号に変換するための第１の信号変換手段と、
前記共通基準信号又は第２の局部基準信号に基づいた所定周波数の信号を発振するための第２の発振手段と、
前記中間信号を、前記第２の発振手段からの発振信号に基づいて、前記出力信号に変換するための第２の信号変換手段と、
前記共通基準信号又は前記第２の局部基準信号が前記第２の発振手段に入力されるようにする第３の切り替え手段と、
前記第１の発振手段からの発振信号又は前記第２の発振手段からの発振信号が前記第１の信号変換手段に入力されるようにする第４の切り替え手段と、を備え、
前記第３の切り替え手段が、前記共通基準信号が前記第２の発振手段に入力されるようにすると共に、前記第４の切り替え手段が、前記第１の発振手段からの発振信号が前記第１の信号変換手段に入力されるようにし、
又は、前記第３の切り替え手段が、前記第２の局部基準信号が前記第２の発振手段に入力されるようにすると共に、前記第４の切り替え手段が、前記第２の発振手段からの発振信号が前記第１の信号変換手段に入力されるようにすること、
を特徴とする中継放送局装置。
【発明の詳細な説明】
【技術分野】
【０００１】
本発明は、ＴＶ放送の放送システムにおいて、放送電波を山間部等の難視聴地域に中継するための中継放送局装置に関し、特に、入力信号を中間信号に変換した後、該中間信号を出力信号に変換する中継放送局装置に関する。
【背景技術】
【０００２】
従来からＴＶ放送の放送システムにおいては、放送電波を山間部等の難視聴地域に伝送するために中継放送局装置が利用されている。この中継放送局装置は、例えば、山の頂上付近に建てられた中継所の内部に設置され、放送局から送信された電波をアンテナで受信し、ここで信号の増幅やノイズの除去などを行って、再び送信信号を構成してこれを目的の難視聴地域に向けて送信するものである。
【０００３】
一般的な中継放送局装置においては、放送電波をそのフロントエンド部において各チャンネル毎の信号に分波し、それぞれ所定の中間周波数帯域の信号（中間信号）に変換をして、ここでノイズの除去や必要な信号の増幅を行う。ノイズ除去などを行った中間信号は、励振部に送られてここで予め決定された送信周波数に再度変換され、出力混合器で合成されて送信される。
【０００４】
ここで、中継放送局装置における送信周波数は、電波法上の規格により、周波数ずれを基準値に対して所定範囲内に収める必要がある。この規格を遵守するためには、一般的に用いられている発振器（オシレータ）では精度が足りないため、中継放送局装置における周波数変換では、高価なルビジウム発振器（Ｒｂ発振器。１０ＭＨｚ基準信号発生器）を使用している。
【０００５】
このように中継放送局装置を用いた放送波中継方式としては、ＭＦＮ（Multi Frequency Network）、すなわち受信周波数と送信周波数が異なる方式と、ＳＦＮ（Single Frequency Network)、すなわち受信周波数と送信周波数とが同じ方式とがある。図６は、従来のＭＦＮ方式の中継放送局装置における信号変換に係るユニット構成を示したブロック図である。この従来の中継放送局装置は、受信変換ユニット１００、送信変換ユニット２００、及び、基準信号生成ユニット３００を備えて構成されている。受信変換ユニット１００は、特定チャンネルの入力信号を中間信号に変換するためのもので、オシレータ（ＯＳＣ）１１１ａ及びＰＬＬ回路１１１ｂで構成される局部発振部１１１、ミキサ１１２、フィルタ１１３、及び、アンプ１１４、１１５を備えて構成されている。また、送信変換ユニット２００は、受信変換ユニット１００で生成された中間信号を出力信号に再変換するためのもので、オシレータ２２１ａ及びＰＬＬ２２１ｂ回路で構成される局部発振器２２１、ミキサ２２２、フィルタ２２３、及び、アンプ２２４、２２５を備えて構成されている。また、基準信号生成ユニット３００は、図示しないルビジウムなどの高精度な発振素子を備えて構成され、ここで生成された所定周波数の基準信号が、受信変換ユニット１００の局部発振器１１１及び送信変換ユニット２００の局部発振器２２１にそれぞれ出力され、これらの共通基準信号となる。
【０００６】
このような構成において、前段側の図示しない分波器で分派された入力信号の一つが、受信変換ユニット１００に入力される。この入力信号は、アンプ１１５において増幅された後、ミキサ１１２において局部発振器１１１からの発振信号と混合されることにより中間信号に変換される。この中間信号は、フィルタ１１３及びアンプ１１４によってノイズの除去や信号の増幅が行われた後、送信変換ユニット２００へ出力される。
【０００７】
この送信変換ユニット２００では、中間信号が、アンプ２２５で増幅された後、ミキサ２２２において局部発振器２２１からの発振信号と混合されることにより所望の出力チャンネルの周波数の信号に変換される。この信号は、フィルタ２２３及びアンプ２２４によってノイズの除去や信号の増幅が行われた後、後段側の図示しない混合器へ出力され、他の信号と混合されて無線出力される。
【０００８】
ここで、受信側の局部発振器１１１と送信側の局部発振器２２１とには、基準信号生成ユニット３００によって高精度な共通基準信号が与えられているため、局部発振器１１１と局部発振器２２１とからそれぞれ出力される発振信号の相互間の周波数ずれを極めて小さい範囲に抑えることができる。このような構成の中継放送局装置は、例えば特許文献１に開示されている。この特許文献１には、中継放送局装置に関し、１台の発振器からの基準信号を受信変換部と送信変換部とで共用する構成が開示されている。
【０００９】
さらに、従来から、受信変換ユニット１００又は送信変換ユニット２００の一方に設けた局部発振器を他方で共有化することで、中継放送局装置の構成を簡易化してその製造コストを低減することが提案されている。図７は、従来のＳＦＮ方式の中継放送局装置における信号変換に係るユニット構成の他の例を示したブロック図である。この中継放送局装置においては、受信変換ユニット１００側にのみ局部発振器１１１が設けられている。この局部発振器１１１では、水晶振動子１１１ｃからの局部基準信号に基づいて発振が行われ、この発振信号が、ミキサ１１２に入力されると共に、出力端子１１６と出力端子２２６とを順次介して、送信変換ユニット２００のミキサ２２１にも入力される。
【００１０】
この構成では、水晶振動子１１１ｃの発振精度はルビジウムなどの発振素子に比べて低いが、受信変換ユニット１００と送信変換ユニット２００とで同じ発振信号が用いられるため、受信側の周波数ずれと送信側の周波数ずれとが相互に相殺されることとなり、電波法上の規格を満たす周波数精度の出力信号を得ることが可能になる。
【００１１】
【特許文献１】特開２０００−３２４０３６号公報
【発明の開示】
【発明が解決しようとする課題】
【００１２】
このように、図７の如き中継放送局装置においては、受信側と送信側とで１つの局部発振器を共有化することにより、受信変換ユニット又は送信変換ユニットのいずれか一方の局部発振器を省略でき、さらに高価なルビジウム発振器を省略することができる。しかしながら、この構成は、受信側と送信側の周波数とが同一であるＳＦＮ方式の中継では有用であるが、受信側と送信側の周波数とが異なるＭＦＮ方式の中継では採用できないため、このＭＦＮ方式の中継では依然として図６の如き構成を採用する必要がある。
【００１３】
このため従来は、ＭＦＮ方式用の図６の如き中継放送局装置と、ＳＦＮ方式用の図７の如き中継放送局装置との２種類の装置を用意しなければならなかった。また、ＳＦＮ方式のために図７の如き中継放送局装置を設置した後、中継方式をＭＦＮ方式に変更するためには、図７の如き中継放送局装置を図６の如き中継放送局装置に入れ替えなければならない等、中継放送局装置の汎用性が低いといった問題があった。
【００１４】
本発明は、上記に鑑みてなされたものであって、中継放送局装置としてのトータルコストを抑えつつ、ＳＦＮとＭＦＮとの何れの方式にも対応することができる、中継放送局装置を提供することを目的とする。
【課題を解決するための手段】
【００１５】
上述した課題を解決し、目的を達成するために、請求項１に記載の中継放送局装置は、入力信号を中間信号に変換した後、該中間信号を出力信号に変換する中継放送局装置において、共通基準信号又は第１の局部基準信号に基づいた所定周波数の信号を発振するための第１の発振手段と、前記入力信号を、前記第１の発振手段からの発振信号に基づいて、前記中間信号に変換するための第１の信号変換手段と、前記共通基準信号に基づいた所定周波数の信号を発振するための第２の発振手段と、前記中間信号を、前記第１の発振手段からの発振信号又は前記第２の発振手段からの発振信号に基づいて、前記出力信号に変換するための第２の信号変換手段と、前記共通基準信号又は前記第１の局部基準信号が前記第１の発振手段に入力されるようにする第１の切り替え手段と、前記第１の発振手段からの発振信号又は前記第２の発振手段からの発振信号が前記第２の信号変換手段に入力されるようにする第２の切り替え手段と、を備え、前記第１の切り替え手段が、前記共通基準信号が前記第１の発振手段に入力されるようにすると共に、前記第２の切り替え手段が、前記第２の発振手段からの発振信号が前記第２の信号変換手段に入力されるようにし、又は、前記第１の切り替え手段が、前記第１の局部基準信号が前記第１の発振手段に入力されるようにすると共に、前記第２の切り替え手段が、前記第１の発振手段からの発振信号が前記第２の信号変換手段に入力されるようにすること、を特徴とする。
【００１６】
また、請求項２に記載の中継放送局装置は、請求項１に記載の中継放送局装置において、前記第１の発振手段、前記第１の信号変換手段、前記第１の局部基準信号を生成する手段、及び、前記第１の切り替え手段を有する受信変換ユニットと、前記第２の発振手段、前記第２の信号変換手段、及び、前記第２の切り替え手段を有する送信変換ユニットと、を備えることを特徴とする。
【００１７】
また、請求項３に記載の中継放送局装置は、請求項２に記載の中継放送局装置において、前記受信変換ユニットは、前記共通基準信号を入力するための第１の入力端子と、前記第１の発振手段からの発振信号を出力可能な第１の出力端子とを有し、前記送信変換ユニットは、前記共通基準信号を入力するための第２の入力端子と、前記第１の出力端子からの信号を入力可能な第２の出力端子とを有し、前記受信変換ユニットにおける前記第１の発振手段からの発振信号を、前記第１の出力端子と前記送信変換ユニットにおける前記第２の出力端子とを介して、前記第２の信号変換手段に入力可能としたこと、を特徴とする。
【００１８】
また、請求項４に記載の中継放送局装置は、請求項２に記載の中継放送局装置において、前記受信変換ユニットは、前記共通基準信号を入力すると共に前記第１の発振手段からの信号を出力可能な第１の入出力端子と、前記第１の入出力端子に前記共通基準信号が入力された場合には当該共通基準信号を前記第１の切り替え手段を介して前記第１の発振手段に入力させ、前記第１の発振手段からの発振信号が入力された場合には当該発振信号を前記第１の入出力端子に出力する第１の分波手段と、を有し、前記送信変換ユニットは、前記共通基準信号及び前記第１の入出力端子から出力される信号を入力可能な第２の入出力端子と、前記第２の入出力端子に前記共通基準信号が入力された場合には当該共通基準信号を前記第２の発振手段に入力させ、前記第２の入出力端子に前記第１の入出力端子を介して前記第１の発振手段からの発振信号が入力された場合には当該発振信号を前記第２の信号変換手段に入力する第２の分波手段と、を有すること、を特徴とする。
また、請求項５に記載の中継放送局装置は、入力信号を中間信号に変換した後、該中間信号を出力信号に変換する中継放送局装置において、共通基準信号に基づいた所定周波数の信号を発振するための第１の発振手段と、前記入力信号を、前記第１の発振手段からの発振信号又は第２の発振手段からの発振信号に基づいて、前記中間信号に変換するための第１の信号変換手段と、前記共通基準信号又は第２の局部基準信号に基づいた所定周波数の信号を発振するための第２の発振手段と、前記中間信号を、前記第２の発振手段からの発振信号に基づいて、前記出力信号に変換するための第２の信号変換手段と、前記共通基準信号又は前記第２の局部基準信号が前記第２の発振手段に入力されるようにする第３の切り替え手段と、前記第１の発振手段からの発振信号又は前記第２の発振手段からの発振信号が前記第１の信号変換手段に入力されるようにする第４の切り替え手段と、を備え、前記第３の切り替え手段が、前記共通基準信号が前記第２の発振手段に入力されるようにすると共に、前記第４の切り替え手段が、前記第１の発振手段からの発振信号が前記第１の信号変換手段に入力されるようにし、又は、前記第３の切り替え手段が、前記第２の局部基準信号が前記第２の発振手段に入力されるようにすると共に、前記第４の切り替え手段が、前記第２の発振手段からの発振信号が前記第１の信号変換手段に入力されるようにすること、を特徴とする。
【発明の効果】
【００１９】
請求項１に記載の本発明によれば、ＳＦＮ方式での中継には高価なルビジウム発振器を省略することができ、かつ、単一構成の装置によってＳＦＮ方式とＭＦＮ方式との何れの中継にも対応することができるようになり、製造が容易になると共に、装置設置後に他の方式に変更になった場合においても接続の切り替えによって別の方式への変更が容易にできるようになる。
【００２０】
また、請求項２に記載の本発明によれば、単一構成のユニット群によって前記装置が構成されるため、その保守性が一層高まる。
【００２１】
また、請求項３に記載の本発明によれば、基準信号を出力可能な出力端子を利用して、一方の変換手段から他方の変換手段への局部基準信号に基づく基準周波数の伝送を行うようにしたため、その接続のために別途専用の端子を用意する必要がなく、装置構成を一層簡略化できる。
【００２２】
また、請求項４に記載の本発明によれば、分波手段を用いたため、共通基準信号の両変換手段への伝送と、一方の変換手段から他方の変換手段への局部基準信号に基づく基準周波数の伝送とを、一対の入出力端子でできるようになり、装置構成を一層簡略化できる。
【発明を実施するための最良の形態】
【００２３】
以下に添付図面を参照して、この発明に係る中継放送局装置の各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００２４】
〔Ｉ〕各実施の形態に共通の基本的概念
まず、各実施の形態に共通の基本的概念について説明する。各実施の形態に係る中継放送局装置は、ＴＶ放送の放送システムにおいて、放送電波を山間部等の難視聴地域に中継するためのものであり、特に、入力信号を所定周波数の中間信号に変換した後、該中間信号を所定周波数の出力信号に変換する信号変換機能を備えた中継放送局装置である。本実施の形態が適用される中継放送局装置は、その形式として、放送電波を受信する受信所と難視聴地域に電波を送信する送信所とが分離され光ファイバーなどの伝送路によって接続された分離型であると、受信機と送信機が一箇所にある非分離型であるとを問わない。また、受信機や送信機の具体的構成形態も任意であるが、例えば、受信機や送信機は、１つのラック内に収容可能なようにそれぞれユニット化されている。
【００２５】
この中継放送局装置の特徴の一つは、ルビジウム発振器を用いたＭＦＮ方式の中継と、ルビジウム発振器を省略してコストを抑えたＳＦＮ方式の中継とを、同一構成内での簡単な切り替え作業によって実行可能な点にある。従って、装置製造の共通化を図ることができ、また装置設置後の中継方式の切り替えを容易に行なうことができる。
【００２６】
〔II〕各実施の形態の具体的内容
〔実施の形態１〕
次に、本発明に係る各実施の形態の具体的内容について説明する。まず、実施の形態１について説明する。ここでは、中継放送局装置の構成と、中継放送局装置の動作について順次説明する。図１は、本実施の形態１に係る中継放送局装置における信号変換に係るユニット構成を示したブロック図であり、ＭＦＮ方式用の切り替え状態を示す図、図２は、図１の中継放送局装置における信号変換に係るユニット構成を示したブロック図であり、ＳＦＮ方式用の切り替え状態を示す図である。この中継放送局装置１は、概略的に、受信変換ユニット１０及び送信変換ユニット２０を備えて構成されており、必要に応じて基準信号生成ユニット３０が付加される。
【００２７】
（中継放送局装置１の構成−受信変換ユニット１０）
受信変換ユニット１０は、基本的には、特定チャンネルの入力信号を所定の中間周波数（例えば３７．１５ＭＨｚ）の中間信号に変換する入力信号変換手段である。具体的には、受信変換ユニット１０は、オシレータ１１ａ及びＰＬＬ回路１１ｂで構成される局部発振器１１、ミキサ１２、フィルタ１３、及び、アンプ１４、１５を備えて構成されている。
【００２８】
このうち、局部発振器１１は、水晶発振子１６からの基準信号又は基準信号生成ユニット３０からの基準信号に基づいて駆動される。すなわち、水晶発振子１６又は基準信号生成ユニット３０のいずれか一方からの基準信号が、スイッチＳＷ３を切り替えることによって選択的にＰＬＬ回路１１ｂに入力される。そして、このＰＬＬ回路１１ｂによってあらかじめ決められた周波数に位相同期されることで、オシレータ１１ａから所定周波数の信号(発振信号）が出力され、この発振信号がミキサ１２に基準周波数信号として出力される。この局部発振器１１からの発振信号は、モニタ端子１７を介してユニット筐体外でモニタできるように構成されている。
【００２９】
ミキサ１２は、入力信号と局部発振器１１からの発振信号との差分の周波数の中間信号を生成する。フィルタ１３は、ミキサ１２で生成された中間信号からＴＶ信号以外のノイズ成分を除去する狭帯域フィルタである。アンプ１４、１５は増幅器であり、入力ＴＶ信号を増幅し、あるいは、ミキサ１２及びフィルタ１３で減衰した信号を増幅する。
【００３０】
（中継放送局装置１の構成−送信変換ユニット２０）
送信変換ユニット２０は、受信変換ユニット１０で生成された中間信号を、所定の出力信号に再変換するためのもので、オシレータ２１ａ及びＰＬＬ回路２１ｂで構成される局部発振器２１、ミキサ２２、フィルタ２３、及び、アンプ２４、２５を備えて構成されている。
【００３１】
このうち、局部発振器２１は、水晶発振子２６からの基準信号又は基準信号生成ユニット３０からの基準信号に基づいて駆動される。すなわち、水晶発振子２６又は基準信号生成ユニット３０のいずれか一方からの基準信号が、スイッチＳＷ４を切り替えることによって選択的にＰＬＬ回路２１ｂに入力される。そして、このＰＬＬ回路２１ｂによってあらかじめ決められた周波数に位相同期されることで、オシレータ２１ａから所定周波数の信号(発振信号）が出力され、この発振信号がミキサ２２に基準周波数信号として出力される。この局部発振器２１からの発振信号は、モニタ端子２７を介してユニット筐体外でモニタできるように構成されている。
【００３２】
ミキサ２２は、受信変換ユニット１０で生成された中間信号を所定周波数の出力信号に変換するもので、中間信号と局部発振器２１からの発振信号の差分の周波数の出力信号を生成する。フィルタ２３は、ミキサ２２で生成された出力信号からＴＶ信号以外のノイズ成分を除去する狭帯域フィルタである。アンプ２４、２５は増幅器であり、中間信号を増幅し、あるいは、ミキサ２２及びフィルタ２３で減衰した信号を増幅する。
【００３３】
ここで、送信変換ユニット２０は、受信変換ユニット１０と異なり、さらにスイッチＳＷ１、ＳＷ２、及び、ＳＷ５を備える。スイッチＳＷ１及びＳＷ２は、ミキサ２２に入力される発振信号を切り替えるための切り替え手段である。すなわち、これらスイッチＳＷ１及びＳＷ２を図１のように切り替えた場合には、局部発振器２１からの発振信号がミキサ２２に入力されると共に、この発振信号がモニタ端子２７でモニタ可能になる。一方、これらスイッチＳＷ１及びＳＷ２を図２のように切り替えた場合には、受信変換ユニット１０の局部発振器１１からの発振信号が、モニタ端子２７を介してミキサ２２に入力される。また、スイッチＳＷ５は、水晶発振子２６に対する基準信号の電源電圧Ｖｃｃのオン／オフを行うスイッチである。
【００３４】
（中継放送局装置１の構成−基準信号生成ユニット３０）
基準信号生成ユニット３０は、受信変換ユニット１０の局部発振器１１及び送信変換ユニット２０の局部発振器２１に対する基準信号（共通基準信号）を生成するためのユニットである。この基準信号生成ユニット３０の発振回路は、ルビジウムなどの高精度な発振素子（図示せず）により構成される。このため、この基準信号生成ユニット３０からの基準信号を受けて発振する局部発振器１１及び局部発振器２１の発信周波数は極めて安定的であり、互いに高い精度で同期することとなる。一実施例においてこの基準信号は１０ＭＨｚである。
【００３５】
（中継放送局装置１の設定及び動作−ＭＦＮ方式）
次に、本実施形態に係る中継放送局装置１の設定及び動作について説明する。この中継放送局装置１は、ＭＦＮ方式あるいはＳＦＮ方式の何れか一方に切り替えて使用される。まず、本装置をＭＦＮ方式に使用する場合の設定及び動作について、図１を参照しつつ説明する。この場合、基準信号生成ユニット３０を、受信変換ユニット１０の入力端子１８及び送信変換ユニット２０の入力端子２８にそれぞれ接続する。そしてＳＷ１からＳＷ５を図１に示すように切り替える。
【００３６】
このような設定において、受信変換ユニット１０に入力されたＴＶ信号は、アンプ１５で増幅された後、ミキサ１２において、局部発振器１１からの発振信号と混合され、中間信号に変換される。この中間信号は、フィルタ１３及びアンプ１４によってノイズの除去や信号の増幅が行われた後、送信変換ユニット２０へ出力される。
【００３７】
ここで、基準信号生成ユニット３０からの高精度の共通基準信号が、スイッチＳＷ３を介してＰＬＬ回路１１ｂに入力される。従って、局部発振器１１は、基準信号生成ユニット３０からの高精度の共通基準信号に基づいて駆動されることになり、発振信号の周波数のずれが抑えられ、周波数変換を高精度で行うことができる。また、局部発振器１１からの発振信号は、モニタ端子１７からモニタ出力可能になる。
【００３８】
一方、送信変換ユニット２０では、受信変換ユニット１０から入力された中間信号が、アンプ２５で増幅された後、ミキサ２２において発振信号と混合され、これによって中間信号が所望の出力チャンネルの周波数の信号に再変換される。この信号は、フィルタ２３及びアンプ３４によってノイズの除去や信号の増幅が行われた後、出力信号として当該送信変換ユニット２０の外部に出力される。このように出力された信号は、図示しない次段の混合器に送られ、並列設置された他の複数の送信変換ユニット２０からの出力と重畳されて、最終的な出力信号が生成される。
【００３９】
ここで、基準信号生成ユニット３０からの高精度の共通基準信号が、スイッチＳＷ４を介してＰＬＬ回路２１ｂに入力される。従って、送信変換ユニット２０の局部発振器２１は、基準信号生成ユニット３０からの高精度の共通基準信号に基づいて駆動されることになり、発振信号の周波数のずれが抑えられ、周波数変換を高精度で行うことができる。そして、この高精度の発振信号が、スイッチＳＷ１を介してミキサ２２に入力される。また、局部発振器２１からの発振信号は、スイッチＳＷ２を介してモニタ端子２７からモニタ出力可能になる。
【００４０】
なお、ＭＦＮ方式においても、ある程度の周波数ずれが許容される場合には、上記と異なる設定及び動作を行なうことができる。すなわち、スイッチＳＷ３、ＳＷ４、及び、ＳＷ５のみを図１とは反対側に切り替えることで、水晶振動子１６、２６からの信号をＰＬＬ回路１１ｂ、２１ｂに入力するようにしてもよい。この場合には、ＭＦＮ方式においても、基準信号生成ユニット３０を省略することができる。
【００４１】
（中継放送局装置１の設定及び動作−ＳＦＮ方式）
次に、本装置をＳＦＮ方式に使用する場合の設定及び動作について、図２を参照しつつ説明する。この場合、受信変換ユニット１０のモニタ端子１７と送信変換ユニット２０のモニタ端子２７とを相互に接続する。そしてＳＷ１からＳＷ５を図２に示すように切り替える。このような設定における動作は、基本的には、上述したＭＦＮ方式の場合と同様であるため、その説明を省略する。
【００４２】
しかしながら、ＳＦＮ方式では、ＭＦＮ方式の場合と異なり、受信変換ユニット１０において、水晶発振子１６からの基準信号に基づいて局部発振器１１が駆動され、この発振信号がミキサ１２に入力される。
【００４３】
また、送信変換ユニット２０において、受信変換ユニット１０の局部発振器１１の発振信号が、モニタ端子１７及びモニタ端子２７を順次介して入力され、スイッチＳＷ２、ＳＷ１を介してミキサ２２に入力される。この場合、ミキサ２２では、受信変換ユニット１０の信号変換に用いているものと同一の発振信号にて信号の再変換を行うことになり、仮に、その基準信号に周波数ずれがあったとしても、この周波数ずれは受信側と送信側とで相殺され、高精度の再変換を行うことができる。
【００４４】
(実施の形態１の効果）
このように実施の形態１によれば、この中継放送局装置は、入力信号の周波数変換機能において、１種類のユニット構成群によってＳＦＮ方式及びＭＦＮ方式の双方の機能を有しており、簡単な機能の切り替え作業によってこれらの方式を容易に切り替えることができる。また、本装置によれば、単一構成の装置によってＳＦＮ、ＭＦＮの何れの方式にも対応することができるようになり、従って、製造が容易になると共に、装置設置後に他の方式に変更になった場合においても、接続の切り替えによって別の方式への変更が容易にできるようになる。また、本装置によれば、単一構成のユニット群によって前記装置が構成されるため、その保守性が一層高まる。また、本装置によれば、発振信号をモニタリングするモニタ端子１７、２７を利用して、受信変換ユニット１０から送信変換ユニット２０への局部基準信号に基づく基準周波数の伝送を行うようにしたため、その接続のために別途専用の端子を用意する必要がなく、装置構成を一層簡略化できる。
【００４５】
〔実施の形態２〕
次に、本発明に係る実施の形態２の具体的内容について説明する。この実施の形態２は、送信変換ユニット及び受信変換ユニット内に分波手段を備えた形態である。図３は、実施の形態２に係る中継放送局装置における信号変換に係るユニット構成を示したブロック図であり、ＭＦＮ方式用の切り替え状態を示す図、図４は、図３の中継放送局装置における信号変換に係るユニット構成を示したブロック図であり、ＳＦＮ方式用の切り替え状態を示す図である。なお、実施の形態２の構成は特記する場合を除いて実施の形態１の構成と略同一であり、実施の形態１の構成と略同一の構成についてはこの実施の形態１で用いたのと同一の符号を必要に応じて付して、その説明を省略する。
【００４６】
（中継放送局装置１の構成−受信変換ユニット１０）
本実施の形態において受信変換ユニット１０は、実施の形態１におけるモニタ端子１７と入力端子１８とに代えて、入出力端子１９を備えて構成されている。この入出力端子１９は、基準信号生成ユニット３０からの共通基準信号を、スイッチＳＷ３を介して局部発振器１１の局部ＰＬＬ回路１１ｂに入力するための入力端子として機能すると共に、局部発振器１１の発振信号を送信変換ユニット２０に向けて出力するための出力端子として機能する。
【００４７】
この受信変換ユニット１０は、さらに、セパレータ４１を備える。セパレータ４１は、入出力端子１９を介して入力された共通基準信号をスイッチＳＷ３を介して局部発振器１１の局部ＰＬＬ回路１１ｂに入力させると共に、局部発振器１１の発振信号を入出力端子１９に出力させるもので、特許請求の範囲における第１の分波手段に対応する。すなわち、図５の帯域グラフに示すように、基準信号生成ユニット３０からの基準信号は数十ＭＨｚオーダーの比較的低周波数帯域の信号であり、局部発振器１１からの発振信号は数百ＭＨｚオーダーの比較的高周波数帯域の信号であるため、これら相互の周波数帯域の相違を利用して、セパレータ４１による分波を行うことができる。
【００４８】
（中継放送局装置１の構成−送信変換ユニット２０）
また、図３、４において、送信変換ユニット２０は、入出力端子２９及びセパレータ４２を備えて構成されている。この入出力端子２９は、基準信号生成ユニット３０からの基準信号を、スイッチＳＷ４を介して局部発振器２１の局部ＰＬＬ回路２１ｂに入力するための入力端子として機能すると共に、受信変換ユニット１０の局部発振器１１の発振信号をスイッチＳＷ２、ＳＷ１を介してミキサ２２に入力するための入力端子として機能する。
【００４９】
また、セパレータ４２は、入出力端子２９を介して入力された基準信号をスイッチＳＷ４を介して局部発振器２１の局部ＰＬＬ回路２１ｂに入力させると共に、局部発振器１１の発振信号をスイッチＳＷ２、ＳＷ１を介してミキサ２２に入力させるもので、特許請求の範囲における第２の分波手段に対応する。すなわち、セパレータ４２は、基準信号である数十ＭＨｚオーダーの低周波信号を局部発振器２１側へパスし、局部発振器１１からの数百ＭＨｚオーダーの高周波信号をミキサ２２側へパスする。
【００５０】
（中継放送局装置１の設定及び動作−ＭＦＮ方式）
次に、本実施形態に係る中継放送局装置１の設定及び動作について説明する。まず、本装置をＭＦＮ方式に使用する場合の設定及び動作について、図３を参照しつつ説明する。この場合、基準信号生成ユニット３０を、受信変換ユニット１０の入出力端子１９及び送信変換ユニット２０の入出力端子２９にそれぞれ接続する。そしてＳＷ１からＳＷ５を図３に示すように切り替える。
【００５１】
このような設定において、受信変換ユニット１０においては、基準信号生成ユニット３０からの高精度の基準信号が、セパレータ４１及びスイッチＳＷ３を順次介してＰＬＬ回路１１ｂに入力される。従って、受信変換ユニット１０の局部発振器１１は、基準信号生成ユニット３０からの高精度の基準信号に基づいて駆動されるので、発振信号の周波数のずれが抑えられ、周波数変換を高精度で行うことができる。また同様に、送信変換ユニット２０においては、基準信号生成ユニット３０からの高精度の基準信号が、セパレータ４２及びスイッチＳＷ４を順次介してＰＬＬ回路２１ｂに入力される。従って、局部発振器２１は、基準信号生成ユニット３０からの高精度の基準信号に基づいて駆動されるので、発振信号の周波数のずれが抑えられ、周波数変換を高精度で行うことができる。
【００５２】
なお、ＭＦＮ方式においても、ある程度の周波数ずれが許容される場合には、上記と異なる設定及び動作を行なうことができる。すなわち、スイッチＳＷ３、ＳＷ４、及び、ＳＷ５のみを図３とは反対側に切り替えることで、水晶振動子１６、２６からの信号をＰＬＬ回路１１ｂ、２１ｂに入力するようにしてもよい。この場合には、ＭＦＮ方式においても、基準信号生成ユニット３０を省略することができる。
【００５３】
（中継放送局装置１の設定及び動作−ＳＦＮ方式）
次に、本装置をＳＦＮ方式に使用する場合の設定及び動作について、図４を参照しつつ説明する。この場合、受信変換ユニット１０の入出力端子１９と送信変換ユニット２０の入出力端子２９とを相互に接続する。そしてＳＷ１からＳＷ５を図４に示すように切り替える。
【００５４】
このような設定において、水晶発振子１６からの基準信号がＳＷ３を介して、局部発振器１１に入力される。そして、実施の形態１と同様に、この基準信号に基づいて局部発振器１１が駆動される。また、この局部発振器１１の発振信号が、セパレータ４１を通過して入出力端子１９から出力され、さらに入出力端子２９を介して送信変換ユニット２０に入力される。そして、この送信変換ユニット２０において、発振信号がセパレータ４２を通過し、スイッチＳＷ２、ＳＷ１を介してミキサ２２に入力される。この場合、ミキサ２２では、受信変換ユニット１０の信号変換に用いているものと同一の発振信号にて信号の再変換を行うことになり、仮に、その基準信号に周波数ずれがあったとしても、この周波数ずれは受信側と送信側とで相殺され、高精度の再変換を行うことができる。
【００５５】
（実施の形態２の効果）
このような構成によれば、受信変換ユニット１０及び送信変換ユニット２０における基準信号の入出力を、入出力端子１９、２９のみにて行うことができ、装置構成を一層簡略化できる。
【００５６】
〔III〕実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、装置構成の簡略化が図られなくても、ＳＦＮ方式とＭＦＮ方式とでユニットを入れ替える必要がない限りは、本願の課題が解決されているといえる。
【００５８】
（装置のユニット化について）
実施の形態１、２においては、装置構成を、受信変換ユニット１０、送信変換ユニット２０、及び、基準信号生成ユニット３０の３つのユニットにて構成したものが示されたが、これらをこのように別々のユニットに構成しなくともよく、またさらに機能分割を図った複数のユニットで装置を構成してもよい。
【００５９】
（受信側と送信側との相互の構成置換について）
また、実施の形態１、２においては、ＳＦＮ方式を実現するために、受信変換ユニット１０側の局部発振器１１の基準信号を、送信変換ユニット２０側で用いる例を示した。しかしながら、送信変換ユニット２０の局部発振器２１の基準信号を、受信変換ユニット１０側で用いるように装置を構成してもよい。この場合には、実施の形態１、２に示した局部発振器や切り替え系統の構成を、受信変換ユニット１０と送信変換ユニット２０とで相互に入れ替えればよい。あるいは、受信変換ユニット１０と送信変換ユニット２０との両方に、スイッチＳＷ１からＳＷ５をそれぞれ設け、受信変換ユニット１０と送信変換ユニット２０との構成の共通化を図ってもよい。また、なお、各構成において、各スイッチＳＷ１〜ＳＷ５は、これらを手動で切り替えるように構成してもよいし、またリレー装置などを利用してこれらを一括切り替えできるように構成してもよい。
【産業上の利用可能性】
【００６０】
この発明は、入力信号を中間信号に変換した後、該中間信号を出力信号に変換する中継放送局装置に有用であり、中継放送局装置としてのコストを抑えつつ、ＳＦＮ方式とＭＦＮ方式とのいずれにも採用しうる中継放送局装置に有用である。
【図面の簡単な説明】
【００６１】
【図１】本実施の形態１に係る中継放送局装置における信号変換に係るユニット構成を示したブロック図であり、ＭＦＮ方式用の切り替え状態を示す図である。
【図２】本実施の形態１に係る中継放送局装置における信号変換に係るユニット構成を示したブロック図であり、ＳＦＮ方式用の切り替え状態を示す図である。
【図３】本実施の形態２に係る中継放送局装置における信号変換に係るユニット構成を示したブロック図であり、ＭＦＮ方式用の切り替え状態を示す図である。
【図４】本実施の形態２に係る中継放送局装置における信号変換に係るユニット構成を示したブロック図であり、ＳＦＮ方式用の切り替え状態を示す図である。
【図５】帯域グラフを示す図である。
【図６】従来のＭＦＮ方式の中継放送局装置における信号変換に係るユニット構成を示したブロック図である。
【図７】従来のＳＦＮ方式の中継放送局装置における信号変換に係るユニット構成を示したブロック図である。
【符号の説明】
【００６２】
１０、１００  受信変換ユニット
２０、２００  送信変換ユニット
３００  基準信号生成ユニット
１１、２１、１１１、２２１  局部発振部
１１ａ、２１ａ、１１１ａ、２２１ａ  オシレータ
１１ｂ、２１ｂ、１１１ｂ、２２１ｂ  ＰＬＬ回路
１６、２６、１１１ｃ  水晶振動子
１２、２２、１１２、２２２  ミキサ
１３、２３、１１３、２２３  フィルタ
１４、１５、２４、２５、１１４、１１５、２２４、２２５  アンプ
１１６、２２６  出力端子
１７、２７  モニタ端子
１９、２９  入出力端子
４１、４２  セパレータ
ＳＷ１〜ＳＷ５  スイッチ
【図１】
0004782612.tif 000002
【図２】
0004782612.tif 000003
【図３】
0004782612.tif 000004
【図４】
0004782612.tif 000005
【図５】
0004782612.tif 000006
【図６】
0004782612.tif 000007
【図７】
0004782612.tif 000008